【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】垂直シェルが内部空き領域を定めて円周状の内面を備え、
第１のトレイ・サポートがシェルの前記内面に取り付けられて、第１の平面内でシェルの内面の周囲の少なくとも一部分の周りに伸びており、
第２のトレイ・サポートがシェルの前記内面に取り付けられて、前記第１の平面の下に予め選択された距離間隔をあけた第２の平面内でシェルの内面の周囲の少なくとも一部分のまわりに伸びており、
第１のトレイ及び下にある第２のトレイがシェルの中に配置されて、各々は、蒸気通路及び対向端部及び向かい合った側面を有するトレイ・デッキ並びにトレイ・デッキにある少なくとも一つの穴に配置されて、トレイ・デッキ上にあるとき、液体除去のために下方へ伸びる少なくとも一つの下降管を備え、第１のトレイの前記トレイ・デッキは、前記第１のトレイ・サポートによって支持され、
第２のトレイのトレイ・デッキは、前記降下管の液体放出口の下にある穴なし受けパンおよび前記受けパンのどちらかの側にある入口堰を備え、
水平に伸びているビームが前記第２のトレイ・サポートによって対向端部で支えられ、前記第２のトレイのトレイ・デッキの重なり合う部分を下で支えており、前記ビームは、前記トレイ・デッキの一部分を形成する平らな上側表面を備え、
そして
複数の支持ブランケットが降下管の前記第１のトレイから前記下にある第２のトレイの方へ下方に伸びて、前記第１のトレイの降下管を前記下にある第２のトレイ上に支え、前記支持ブラケットは、前記下にある第２のトレイのトレイ・デッキに配置される下端を有し、前記支持ブラケットの前記下端は、前記ビームの前記上側表面によって支えられている物質移動または熱交換カラム。
【請求項２】前記第１のトレイの降下管は、ほぼ完全に前記下にある第２のトレイの上に支えられている請求項１のカラム。
【請求項３】少なくともいくつかの前記支持ブランケットは、流体通路穴を有する請求項２のカラム。
【請求項４】少なくともいくつかの前記支持ブラケットは、前記第１のトレイの降下管の対向端部に置かれている請求項２のカラム。
【請求項５】第１のトレイのトレイ・デッキにある前記穴は、トレイ・デッキの前記端の一方に置かれ、前記下降管は側部下降管である請求項２のカラム。
【請求項６】下降管の対向端部に配置された前記支持ブランケットをシェルの前記内面に押し付けて配置するために横に調節できる請求項５のカラム、
【請求項７】前記側部下降管は、シェルの隣接部分の内面の方へ曲がっている傾斜した下側スカートを備え、中間に配置された支持ブランケットが前記下側スカートと第２のトレイのトレイ・デッキの間に伸びて、前記下降管を支持し、前記下側スカートを前記内面から予め選択された距離だけ離して配置している請求項５のカラム。
【請求項８】前記第２のトレイ・サポートは、シェル及び前記内面の事実上全周囲の周りに伸びて、前記トレイ・デッキの下にあってそれを支持するリングを備える請求項５のカラム。
【請求項９】前記第１のトレイ・サポートは、前記トレイ・デッキの下にあってそれを支持する円周上に間隔をあけたリングセグメントから構成されている請求項２のカラム。
【請求項１０】前記穴の少なくとも一部分は、前記リングセグメントがない請求項９のカラム。
【請求項１１】前記下降管は、各々間隔をあけた側壁及び下降管の対向端部を閉じるために側壁間に伸びている端壁を備え、前記側壁の各々は下側のセグメント、垂直中間セグメント及び内方へ伸びている段付きセグメントを備え、前記下側のセグメントのうちの少なくとも一方は、下降管の前記中間セグメント間の水平断面積より小さい予め選択された空き領域を水平面内に有する下側の排出口を形成するために他方の下側グメントの方へ傾けられている請求項２のカラム。
【請求項１２】前記第１及び第２のトレイが各々複数の前記下降管及び複数の前記穴を備える請求項１のカラム、
【請求項１３】垂直シェルが内部空き領域を定めて円周状の内面を備え、
第１のトレイ・サポートがシェルの前記内面に取り付けられて、第１の平面内でシェルの内面の周囲の少なくとも一部分の周りに伸びており、
第２のトレイ・サポートがシェルの前記内面に取り付けられて、前記第１の平面の下に予め選択された距離間隔をあけた第２の平面内でシェルの内面の周囲の少なくとも一部分のまわりに伸びており、
第１のトレイ及び下にある第２のトレイがシェルの中に配置され、各々は、蒸気通路、対向端部、および向かい合った側面を有するトレイ・デッキ並びにトレイ・デッキにある少なくとも一つの穴に配置されて、トレイ・デッキ上にあるとき、液体除去のために下方へ延びる少なくとも一つの下降管を備え、第１のトレイの前記トレイ・デッキは、前記第１のトレイ・サポートによって支持され、
複数の支持ブランケットが降下管の前記第１のトレイから前記下にある第２のトレイの方へ下方に伸びて、前記第１のトレイの降下管を前記下にある第２のトレイの上に事実上完全に支え、前記支持ブランケットの少なくともいくつかは、流体通路開口を有することを特徴とする物質移動または熱交換カラム。
【請求項１４】垂直シェルが内部空き領域を定めて円周状の内面を備え、
第１のトレイ・サポートがシェルの前記内面に取り付けられて、第１の平面内でシェルの内面の周囲の少なくとも一部分の周りに伸びており、
第２のトレイ・サポートがシェルの前記内面に取り付けられて、前記第１の平面の下に予め選択された距離間隔をあけた第２の平面内でシェルの内面の周囲の少なくとも一部分のまわりに伸びており、
第１のトレイ及び下にある第２のトレイがシェルの中に配置されて、各々は、蒸気通路及び対向端部及び向かい合った側面を有するトレイ・デッキ並びにトレイ・デッキにある少なくとも一つの穴に配置されて、トレイ・デッキ上にあるとき、液体除去のために下方へ延びる少なくとも一つの下降管を備え、第１のトレイの前記トレイ・デッキは、前記第１のトレイ・サポートによって支持され、第２のトレイの前記トレイ・デッキは、前記第２のトレイ・サポートによって支持され、
複数の支持ブランケットが降下管の前記第１のトレイから前記下にある第２のトレイの方へ下方に伸びて、前記第１のトレイの降下管を前記下にある第２のトレイ上に事実上完全に支え、前記支持ブラケットは、前記下にある第２のトレイのトレイ・デッキに配置され、前記支持ブラケットは前記下に亜ry第２のトレイのトレイ・デッキの上にある下端を有し、
水平に伸びているビームが前記第２のトレイ・サポートによって対向端部で支えられ、前記第２のトレイのトレイ・デッキの重なり合う部分を下で支えており、前記ビームは、前記トレイ・デッキの一部分を形成する平らな上側表面を備え、少なくともいくつかの前記支持ブラケットの前記下端は、前記ビームの前記上側表面によって支えられている物質移動または熱交換カラム。
【請求項１５】前記ビームは、立断面図内にＴ字状で下方へ伸びているバッフルを備える請求項１３のカラム。
【請求項１６】前記バッフル内に複数の流体通路穴を備える請求項１５のカラム。
【請求項１７】垂直シェルが内部空き領域を定めて円周状の内面を備え、
第１のトレイ・サポートがシェルの前記内面に取り付けられて、第１の平面内でシェルの内面の周囲の少なくとも一部分の周りに伸びており、
第２のトレイ・サポートがシェルの前記内面に取り付けられて、前記第１の平面の下に予め選択された距離間隔をあけた第２の平面内でシェルの内面の周囲の少なくとも一部分のまわりに伸びており、
第１のトレイ及び下にある第２のトレイがシェルの中に配置されて、各々は、蒸気通路及び対向端部及び向かい合った側面を有するトレイ・デッキ並びにトレイ・デッキにある少なくとも一つの穴に配置されて、トレイ・デッキ上にあるとき、液体除去のために下方へ延びる少なくとも一つの下降管を備え、第１のトレイの前記トレイ・デッキは、前記第１のトレイ・サポートによって支持され、
支持ブランケットが前記第１のトレイの降下管の対向端から下方に前記下にある第２のトレイへ伸びて、前記第１のトレイの降下管を前記下にある第２のトレイの上に事実上完全に支えていて、
第１のトレイのトレイ・デッキにある前記穴はトレイ・デッキの前記両端の一方に置かれ、第１のトレイのトレイ・デッキにある穴に配置された前記降下管は、側降下管であり、
前記支持ブラケットは、シェルの前記内側側面に押し付けて配置するために横に調節可能である物質移動または熱交換カラム。
【請求項１８】垂直シェルが内部空き領域を定めて円周状の内面を備え、
第１のトレイ・サポートがシェルの前記内面に取り付けられて、第１の平面内でシェルの内面の周囲の少なくとも一部分の周りに伸びており、
第２のトレイ・サポートがシェルの前記内面に取り付けられて、前記第１の平面の下に予め選択された距離間隔をあけた第２の平面内でシェルの内面の周囲の少なくとも一部分のまわりに伸びており、
第１のトレイおよび下にある第２のトレイがシェルの中に配置されて、各々は、蒸気通路及び対向端部及び向かい合った側面を有するトレイ・デッキ並びにトレイ・デッキにある少なくとも一つの穴に配置されて、トレイ・デッキ上にあるとき、液体除去のために下方へ延びる少なくとも一つの下降管を備え、第１のトレイの前記トレイ・デッキは、前記第１のトレイ・サポートによって支持され、
複数の支持ブランケットが降下管の前記第１のトレイから前記下にある第２のトレイへ下方に伸びて、前記第１のトレイの降下管を前記下にある第２のトレイ上に事実上完全に支えており、
前記降下管の各々は、間隔を置いた側壁および降下管の対向端部を閉じるために側壁の間に伸びている端壁を備え、前記側壁の各々は、下側部分、垂直な中間部分および内方へ伸びている肩部分から成っており、前記下側部分の少なくとも一方は、降下管の前記中間部分の間の横断面積より小さい水平面内の予め選択された開放領域を有する下側の放出口から他方の下側部分の方へ傾けられている物質移動または熱交換カラム。
【請求項１９】前記支持ブランケットは、前記下にある第２のトレイのトレイ・デッキに載せられた下端を有する請求項１７のカラム。
【請求項２０】対向端部で前記第２のトレイによって支えられ、前記第２のトレイのトレイ・デッキの重なり合う部分の下にあってそれを支えている水平に伸びていているビームを備えている請求項１９のカラム。
【請求項２１】前記ビームは、前記トレイ・デッキの一部部分を形成している平らな上側表面を備えている請求項２０のカラム。
【請求項２２】少なくともいくつかの前記支持ブラケットの前記下端は、前記ビームの前記上側表面によって支えられている請求項２１のカラム。
【請求項２３】前記トレイ・デッキの各部分は、降下管の前記肩部分に重なって支えられている請求項１７のカラム。
【請求項２４】前記肩部分および前記トレイ・デッキの前記重なり合った部分に整列した穴を含む請求項２３のカラム
【請求項２５】前記肩部分の内側縁から上方へ伸びている堰を備える請求項２４のカラム。
【請求項２６】前記側壁の各々は、一体構成のものである請求項２５のカラム。
【請求項２７】垂直シェルが内部空き領域を定めて円周状の内面を備え、
第１のトレイ・サポートがシェルの前記内面に取り付けられて、第１の平面内でシェルの内面の周囲の少なくとも一部分の周りに伸びており、
第２のトレイ・サポートがシェルの前記内面に取り付けられて、前記第１の平面の下に予め選択された距離間隔をあけた第２の平面内でシェルの内面の周囲の少なくとも一部分のまわりに伸びており、
第１のトレイ及び下にある第２のトレイがシェルの中に配置されて、各々は、蒸気通路、対向端部、向かい合った側面、およびトレイ・デッキにある少なくとも一つの穴に配置されて、トレイ・デッキ上にあるとき、液体除去のために下方へ伸びている少なくとも一つの下降管を有するトレイ・デッキ備え、第１のトレイの前記トレイ・デッキは、前記第１のトレイ・サポートによって支持され、第２のトレイの前記トレイ・デッキは、前記第２のトレイ・サポートによって支持され、
前記降下管の各々は、間隔を置いた側壁および降下管の対向端部を閉じるために側壁の間に伸びている端壁を備え、前記側壁の各々は、下側部分、垂直な中間部分および内方へ伸びている肩部分から成っており、前記下側部分の少なくとも一方は、降下管の前記中間部分間の横断面積より小さい水平面内の予め選択された開放領域を有する下側の放出口から他方の下側部分の方へ傾けられており、
そして、少なくとも一つの支持ブラケットが前記第１のトレイの下降管から前記下にある第２のトレイの方へ下方に伸びて、前記第１のトレイの下降管を前記下にある第２のトレイの上に支えている物質移動または熱交換カラム。
【請求項２８】前記トレイ・デッキの各部分は、降下管の前記肩部分に重なって支えられている請求項１８のカラム。
【請求項２９】前記肩部分前記トレイ・デッキの前記重なり合った部分に整列した孔を備える請求項２７のカラム、
【請求項３０】前記肩部分の内側縁から上方へ伸びている堰を備える請求項２８のカラム。
【請求項３１】前記側壁の各々は一体構成のものである請求項２９のカラム。
【請求項３２】第２のトレイのトレイ・デッキは、前記降下管の液体放出口、および受けパンのどちらかの側にある入口堰の下にある孔なしパンを備えている請求項３０のカラム。
【請求項３３】内部トレイ受け空間を有する細長い、垂直な物質移動または熱交換カラムに用いる接触トレイ設備であって、
前記トレイ設備は、
第１および第２の蒸気液体接触トレイが各々上側表面を有し、二つの前記トレイは、第１のトレイがそれに対して垂直に間隔を置いた関係にある第２のトレイより上に配置されて、前記上側表面が内部空間を横に横切って伸びている状態で前記カラムの前記内部空間内に取り付け可能であり、前記第１のトレイは，中に一つの穴を有し、前記第２のトレイは前記穴の横方向に延びるように配置され支持部分を備えており、
前記サポート部分は、第２のトレイの上側表面の一部である上側表面領域のある上側部分および下方へ伸びているパネルを備える下側部分を備え、そして
下降管が前記開口に置かれ、第１のトレイから前記支持部分の方へ下方に延びており、前記降下管は、サポート部分の前記上側表面領域に接触させ、垂直サポートを降下管に与えるように配置された下端セクターを有する支持ブランケットを備えている接触トレイ設備。
【請求項３４】前記支持部分は、横断面形状で細長くＴ字形である請求項３３に記載の接触トレイ設備。
【請求項３５】サポート部分を強化するために、前記下方へ伸びているパネルに隣接して配置された横に伸びている隅板備える請求項３３に記載の接触トレイ設備。
【請求項３６】サポート部分を強化するために、前記下方へ伸びているパネルに隣接して配置された横に伸びている隅板備える請求項３４に記載の接触トレイ設備。
【請求項３７】内部空間を横に横切って伸びているそれの上側表面でカラムの内部空間内に取り付け可能である上側表面を有する第３の蒸気液体接触トレイを備え、前記第３のトレイは、第２のトレイの下にそれに対して垂直に間隔を置いた関係で配置され、前記第３のトレイは、その中に降下管適応穴を有し、前記下方へ伸びているパネルは、トレイが前記カラム内に取り付けられるとき、第３のトレイの前記穴に液体のジャンプ防止手段を設けるための位置に第３のトレイの前記穴より上に置かれている請求項３３に記載の接触トレイ設備。
【請求項３８】前記下方へ伸びているパネル内に蒸気流適応穴を備える請求項３３に記載の接触トレイ配置。
【請求項３９】前記下方へ伸びているパネル内に蒸気流適応穴を備える請求項３７に記載の接触トレイ設備。
【請求項４０】支持ブランケットの前記下端セクター内に液体流適応穴を備えている請求項３３に記載の接触トレイ配置。
【請求項４１】内部トレイ受けて空間を有する細長い、垂直な物質移動または熱交換カラム用の接触トレイ設備であって、
前記トレイ設備は、
各々が上側表面を有する第１および第２の蒸気液体接触トレイを備え、前記二つの前記トレイは、第１のトレイがそれに対して内部垂直に間隔を置いた関係にある第２のトレイより下に配置されて、前記上側表面が内部空間を横に横切って伸びている状態で前記カラムの前記内部空間内に取り付け可能であり、前記第１のトレイは、中に穴を有し、前記第２のトレイは下方へ延びているパネルを備え、また、
前記穴の中に置かれて第1のトレイから下方へ伸びている降下管を備え、前記下方へ伸びているパネルは、トレイが一つの前記カラム内に取り付けられるときのような前記第２のトレイ上の位置にあり、前記下方へ伸びているパネルは、穴を通って降下管に入る液体にジャンプ防止手段を与えるために穴より上に配置されている接触トレイ設備。
【請求項４２】前記下方へ伸びているパネル内に蒸気流適応穴を備える請求項４１に記載の接触トレイ設備。
【請求項４３】
内部トレイ受け空間を有する細長い、垂直な物質移動または熱交換カラム用の接触トレイ設備であって、
前記トレイ設備は、
各々上側表面を有する第１および第２の蒸気液体接触トレイを備え、二つの前記トレイは、第１のトレイがそれに対して内部垂直に間隔を置いた関係にある第２のトレイより上に配置されて、前記上側表面が内部空間を横に横切って伸びている状態で前記カラムの前記内部空間内に取り付け可能であり、前記第１のトレイは、中に穴を有し、前記第２のトレイは前記穴の下に配置された受液構造体を備え、前記受液構造体は、第２のトレイの上側表面の一部分である上側表面領域を有し、また、
前記穴の中に置かれ、第1のトレイから前記受液構造体の方へ下方に伸びて降下管を備え、前記降下管は、受液構造体の前記上側表面領域に接触して垂直支持を下降管に与えるように配置された下端セクターを有する支持ブラケットを備え、支持ブランケットの前記下端セクター内に設けられた液体流適応穴がある接触トレイ設備。
【請求項４４】前記受液構造体は、内部空間の横方向に延びるように引き延ばされて配置されており、前記設備は、前記受液構造体に対して間隔を置いた関係で配置された前記支持ブランケットを二つを備えておりいる請求項４３に記載の接触トレイ設備。
【請求項４５】前記受液構造体は、一対の向かい合った面を有し、それらの各面上に細長い堰を備える請求項４４に記載の接触トレイ設備。
【請求項４６】内部トレイ受け空間を有する細長い、垂直な物質移動または熱交換カラム用の接触トレイ設備であって、
前記トレイ設備は、
上側表面を有する蒸気液体接触トレイを備え、前記トレイは、横に内部空間を横切って伸びている前記上側表面で一つの前記カラムの内部空間に取り付け可能であり、前記トレイは中に一つの細長い穴を有し、前記穴の対向側面にある一対の間隔を置いた部分を備え、
また、
前記穴の中に置かれて、トレイが一つの前記カラム内に取り付けられるとき、第１のトレイから下方へ延びている細長い降下管を備え、前記降下管は、一対の下方へ伸びて、横に間隔を置いた側壁を備え、各前記側壁は、それの上端部分に内方に伸びている肩要素を有し、
前記トレイの各部分は、それぞれの肩要素に関して重なる関係に配置された細長い縁セクションを有し、それによって前記肩要素は、トレイの各部分の支持を行い、
前記肩要素およびそれの重なり合う縁セクションのうちの少なくとも一方は、それらの中にそれぞれの整列配置された流体通過穴を有する接触トレイ設備。
【請求項４７】各前記側壁は、上側部分と下側部分を有し、前記内方へ伸びている肩要素は、前記上側部分の上端部に配置され、前記下側部分は、前記細長い穴の開放領域より小さい開放領域を有する細長い放出口を作るように互いに対する位置を決められている請求項４６に記載の接触トレイ設備
【請求項４８】前記肩要素の内側の縁で上方に伸びている堰を備える請求項４６に記載の接触トレイ設備。
【請求項４９】前記肩要素の内側の縁で上方に伸びている堰を備える請求項４７に記載の接触トレイ設備。
【請求項５０】側壁の少なくとも一つは、１枚の単一の曲がった金属から形成されている請求項４８に記載の接触トレイ設備。
【請求項５１】側壁の少なくとも一つは、１枚の単一の曲がった金属から形成されている請求項４９に記載の接触トレイ設備。